(57)【特許請求の範囲】
【請求項１】
不透水性であるが水蒸気透過性である組み付け中底（１０）と、この組み付け中底（１０）の上方でその縁部に取り付けられた甲革（１４）と、前記組み付け中底（１０）の下方で前記甲革（１４）の縁部に取り付けられ、最大蒸気透過が可能になるような広い開口（１７）あるいは穴のある底革（１６）とから構成された靴であって、
前記組み付け中底（１０）が、
不透水性であるが水蒸気透過性であり、かつ、上方領域に配置された薄膜（１１）と、
この薄膜（１１）の下方に配置され、耐加水分解性かつ透湿性である材料から作られているかあるいは分散状に穿孔されていて、足のための支持部として、前記薄膜（１１）を鈍い物体の侵入から保護するための要素として作用することができ、さらに、使用中に靴に生じる応力に耐えることができる支持層（１２）と
を備え、
前記薄膜（１１）と前記支持層（１２）とが、前記組み付け中底（１０）を水の通過に対して不浸透性であって前記薄膜（１１）の透湿性を損なわないように全体としてするために、相互に接合されており、
前記支持層（１２）は、足の周りに３次元状に巻き付けられるように設計された靴の一部である袋状甲革を閉じることができるように構成されており、
前記甲革（１４）の下方縁部が、前記組み付け中底（１０）の下方で折り曲げられかつ接着剤接合され、
前記底革（１６）の周辺部であるが前記甲革（１４）の前記縁部に接していない前記底革（１６）の部分（１８）が、前記薄膜（１１）との間に周辺封止用区域（Ａ）をもたらすために、前記支持層（１２）に侵入していることを特徴とする靴。
【請求項２】
前記薄膜（１１）は、合成材料から作られた上方メッシュへ結合されていることを特徴とする請求項１に記載の靴。
【請求項３】
前記支持層（１２）は、合成材料あるいは金属材料から作られたメッシュ、微小延伸金属板、加熱により融合された部分圧縮合成繊維、麻やココナッツの繊維のような圧縮天然繊維、または皮革から選択されていることを特徴とする請求項１に記載の靴。
【請求項４】
前記薄膜（１１）と前記支持層（１２）とは、前記組み付け中底（１０）を水の通過に対して不浸透性であって前記薄膜（１１）の透湿性を損なわないようにするために、接着剤のスポット（１３）、接着性材料からなる周辺層、あるいはＰＶＣやＰＵから作られた周辺被膜を溶融することによる高周波溶着から選択されて、互いに接合されていることを特徴とする請求項１〜３のいずれか１つに記載の靴。
【請求項５】
水蒸気透過領域において透湿性あるいは有孔である限り、皮革、フェルト、ポリマー材料あるいは合成皮革から選択され、縫い付け、スポット接着、あるいは周辺の水蒸気不透過区域だけの接着剤接合から選択された透湿性を損なわないような手段によって、前記薄膜（１１）と前記支持層（１２）との組み付けの後に挿入されるか、あるいは靴の組み付けの前に取り付けられる補強要素あるいは構造的要素があることを特徴とする請求項１〜４のいずれか１つに記載の靴。
【請求項６】
前記封止用区域（Ａ）は、前記底革（１６）の金型の中における直接射出成形によって設けられていることを特徴とする請求項１に記載の靴。
【請求項７】
前記封止用区域（Ａ）は、前記支持層（１２）を越えて移動する接着剤で予備型成形されかつ前記薄膜（１１）を封止するように係合された底革（１６ａ）を接着剤接合することによって設けられ、前記接着剤は、ホットメルト接着剤あるいはシリコーン接着剤から選択されていることを特徴とする請求項１に記載の靴。
【請求項８】
前記封止用区域（Ａ）は、前記組み付け中底（１０）と前記底革（１６）との間で周辺に配置されたＰＶＣあるいはＰＵから作られた接着剤の被膜によって、この被膜の溶融による高周波溶融法をもたらすとともにこれらの構成要素を１つの単一体に接合するために、設けられていることを特徴とする請求項１に記載の靴。
【請求項９】
前記封止用区域（Ａ）は、予備射出成形されてその表面に前記底革（１６）が取り付けられる封止層（２０）によって設けられていることを特徴とする請求項１に記載の靴。
【請求項１０】
前記封止用区域（Ａ）を増大させるために、前記甲革（１４ｃ）の前記下方縁部と随意のライニング（１５ｃ）の下方縁部とは、接着剤あるいは液体状底革が前記支持層（１２）を通過して前記組み付け中底（１０）の前記薄膜（１１）に係合するまで侵入することのできる穴（２２，２３）を有していることを特徴とする請求項１〜９のいずれか１つに記載の靴。
【請求項１１】
前記封止用区域（Ａ）を増大させるために、前記甲革（１４ｃ）の前記下方縁部と随意のライニング（１５ｃ）の下方縁部とは、接着剤あるいは液体状底革が前記支持層（１２）を通過して前記組み付け中底（１０）の前記薄膜（１１）に係合するまで侵入することのできる材料から作られていることを特徴とする請求項１〜９のいずれか１つに記載の靴。
【請求項１２】
前記組み付け中底（１０）の前記支持層（１２）は、前記封止用区域（Ａ）において、それに選択的に穴を開けることあるいはその縁部を防水性材料で置き換えることによって、それが封止可能なものになるように改変されていることを特徴とする請求項１〜９のいずれか１つに記載の靴。
【請求項１３】
充分に防水性の材料から作られ、前記組み付け中底（１０）の前記薄膜（１１）へ直接、溶着された甲革（１４ｄ）を備えていることを特徴とする請求項１〜９のいずれか１つに記載の靴。
【請求項１４】
不透水性でない材料から作られた甲革（１４ｅ）と、足と接するように設計された非防水性材料（２６）で裏打ちされている防水性であるが透湿性である外側薄膜（２５）によって構成され、高周波溶着によって、または、接着剤あるいはポリウレタン封止剤あるいはシリコーン封止剤あるいは同様の封止剤の塗布によって選択的に防水処理され、かつ、前記組み付け中底（１０）の前記支持層（１２）と密封状に接着剤接合されたライニング（１５ｅ）とを備えていることを特徴とする請求項１〜９のいずれか１つに記載の靴。
【請求項１５】
不透水性でない材料から作られた甲革（１４ｅ）と、足と接するように設計された非防水性材料（２６）で裏打ちされている防水性であるが透湿性である外側薄膜（２５）によって構成されたライニング（１５ｅ）とを備え、前記甲革（１４ｅ）は、前記底革（１６ｅ）の前記接着剤あるいは前記材料が液体状態で射出されたときに通過することのできる有孔材料によって設けられた下方縁部を有していることを特徴とする請求項１〜９のいずれか１つに記載の靴。
【請求項１６】
不透水性でない材料から作られた甲革（１４ｅ）と、足と接するように設計された非防水性材料（２６）で裏打ちされている防水性であるが透湿性である外側薄膜（２５）によって構成されたライニング（１５ｅ）とを備え、前記ライニング（１５ｅ）の前記外側薄膜（２５）の周辺と前記組み付け中底（１０）の前記薄膜（１１）の周辺との間に、高周波溶着によって、または、接着剤、ポリウレタン封止剤あるいはシリコーン封止剤の塗布によって、前記薄膜（２５）（１１）どうしのブリッジを構成する周辺封止部を設けるためのバンド（２８）が取り付けられていることを特徴とする請求項１〜９のいずれか１つに記載の靴。
【請求項１７】
前記組み付け中底（１０）は、縫い付け部（２９）によって、重なることなく前記甲革（１４ｆ）の縁部へ接合されており、前記底革（１６ｆ）は、前記底革（１６ｆ）と前記薄膜（１１）との間に周辺封止部（Ａ２）が作られるように、また同時に、前記甲革（１４ｆ）と前記組み付け中底（１０）との間の縫い付け部（２９）に封止部（Ａ３）が作られるように、前記組み付け中底（１０）の前記支持層（１２）に侵入していることを特徴とする請求項１〜９のいずれか１つに記載の靴。
【請求項１８】
前記底革（１６ｆ）は、射出の時点で液体であるかあるいはきわめて流動性である材料の直接射出によって設けられていることを特徴とする請求項１７に記載の靴。
【請求項１９】
不透水性でない材料から作られた甲革（１４ｇ）と、足との接触のために意図された非防水性材料（２６）で裏打ちされている防水性であるが透湿性である外側薄膜（２５）から作られたライニング（１５ｇ）とを備え、前記甲革（１４ｇ）は、前記底革（１６ｇ）の前記接着剤あるいは前記材料が液体状態で射出されたときにそれらを通過することのできる有孔材料によって設けられた下方縁部（３０）を有していることを特徴とする請求項１〜９のいずれか１つに記載の靴。
【請求項２０】
不透水性でない材料から作られた甲革（１４ｅ）と、足との接触のために意図された非防水性材料（２６）で裏打ちされている防水性であるが透湿性である外側薄膜（２５）によって構成されたライニング（１５ｅ）とを備え、前記ライニング（１５ｅ）の前記外側薄膜（２５）の周辺と前記組み付け中底（１０）の前記薄膜（１１）の周辺との間に、高周波溶着によって、または、接着剤、ポリウレタン封止剤あるいはシリコーン封止剤の塗布によって、前記薄膜（２５）（１１）どうしのブリッジを構成する周辺封止用バンド（２８）が取り付けられていることを特徴とする請求項１〜９のいずれか１つに記載の靴。
【請求項２１】
前記組み付け中底（１０）は、縫い付け部（２９）によって、重なることなく前記甲革（１４ｆ）の縁部へ接合されており、前記底革（１６ｆ）は、前記底革（１６ｆ）と前記薄膜（１１）との間に周辺封止部（Ａ２）が作られるように、前記組み付け中底（１０）の前記支持層（１２）に侵入していることを特徴とする請求項１〜９のいずれか１つに記載の靴。
【請求項２２】
前記底革（１６ｆ）は、射出の時点で液体であるかあるいはきわめて流動性である材料の直接射出によって設けられていることを特徴とする請求項２１に記載の靴。
【請求項２３】
不透水性でない材料から作られた甲革（１４ｇ）と、足との接触のために意図された非防水性材料（２６）で裏打ちされている防水性であるが透湿性である外側薄膜（２５）から作られたライニング（１５ｇ）とを備え、前記甲革（１４ｇ）は、前記甲革（１４ｇ）と前記組み付け中底（１０）との間に前記縫い付け部（２９）の封止部（Ａ３）を得るために、前記底革（１６ｇ）の前記接着剤あるいは前記材料が液体状態で射出されたときにそれらを通過することのできる有孔材料によって設けられた下方縁部（３０）を有していることを特徴とする請求項１〜９のいずれか１つに記載の靴。
【請求項２４】
不透水性でない材料から作られた甲革と、足との接触のために意図された非防水性材料（２６）で裏打ちされている防水性であるが透湿性である外側薄膜（２５）によって構成されたライニングとを備え、前記ライニングの前記外側薄膜（２５）の周辺と前記組み付け中底（１０）の前記薄膜（１１）の周辺との間に、高周波溶着によって、または、接着剤、ポリウレタン封止剤あるいはシリコーン封止剤の塗布によって、前記薄膜（２５）（１１）どうしのブリッジを構成する周辺封止用バンド（２８）が取り付けられていることを特徴とする請求項１〜９のいずれか１つに記載の靴。
【発明の詳細な説明】
【技術分野】
【０００１】
この発明は、防水性・透湿性組み付け中底（ａｓｓｅｍｂｌｙ  ｉｎｓｏｌｅ）に関するものである。この発明はまた、その組み付け中底で製造された靴に関するものでもある。
【背景技術】
【０００２】
この新しい中底を使用する靴は、特別な衝撃吸収作用を必要としない諸機能のために、他の靴よりも良好に構成されるように適合することができる。
【０００３】
公知の靴製造技術によれば、組み付け中底は、足の周りに３次元状に巻き付けられるように設計された「袋」を実質的に閉じるために、この中底が底革（ｓｏｌｅ）へ取り付けられる前に、甲革（ｕｐｐｅｒ）が上に組み付けられる支持用要素として使用される。この組み付け中底は、靴を構成する他のいくつか構成要素とは別の構成要素であり、他のいくつかの構成要素とは明らかに異質の原理および技術を利用するものである。
【０００４】
従って、構造上の観点から、その靴は、２つの中間的構成要素、すなわち、甲革および組み付け中底を備えてなる袋状構成要素とこの袋の下に取り付けられる底革とから構成することができる。いわゆる「筒状」構造の場合だけ、甲革の袋は、爪革（ｖａｍｐ）として知られた上方部分を取り付けることによって、閉じられる。甲革への組み付け中底の取り付けは、それを設ける構造では、接着剤によって、または、縫い合わせあるいは他の混合方式によって実行される。
【０００５】
いくつかの構成的事例では、甲革が底革へ直接、縫い付けられ、かつ／または、接着剤により接合されているため、組み付け中底は存在していないが、この事例では、底革が組み付け中底として作用する。この組み付け中底（ａｓｓｅｍｂｌｙ  ｉｎｓｏｌｅ）は、「衛生的中底」あるいは「足載せ」として知られているとともに靴の製造のための構造的機能がない、足が載せられる中底（ｉｎｓｏｌｅ）と混同すべきではない。
【０００６】
組み付け中底が足載せと一致するただ１つの事例があり、その事例は、１つ以上の層が、組み付けの後に、組み付け中底の上方で、それゆえユーザーの足の下方で、靴の中へ導入されないときである。これらの事例では、組み付け中底は足載せとして作用するが、その理由は、組み付け中底が、底革へ向けられる側部において甲革を閉じることができるように設けられているからである（足載せは、それがどのようにして作られているか、また、使用された材料がどのようなものであるかによるが、組み付け中底の機能をその代わりに遂行することが決してできない）。
【０００７】
組み付け中底は、靴が意図されている使用に左右される、互いに異なる大多数の材料および構造から作ることができるが、どのような場合でも、靴がともに持ちこたえるように、甲革のための、また、しばしば、さらに底革のための支持部を常に構成することのできるものでなくてはならない。
【０００８】
組み付け中底は、土踏まずを取り付けることによって補強することができ、かつ／または、切欠、穴あるいはより柔軟な材料から作られた部分によって、いっそう曲げやすく作ることができる。
【０００９】
運動靴に限らず、多くの靴では、底革は単に保護的あるいは技術的な目的のためのものであると考えられており、従って、組み付け中底には、靴をともに維持し、かつ、ユーザーの体重を支えるという課題が課されている。例えばサイクリング用の靴では、底革はペダルと実質的に係合しあるいは接することができるように設計されており、サッカー用の靴では、底革はスタッドの取り付けができなければならず、また、ゴルフ用の靴では、底革はスパイクを取り付けることができなければならない。
【００１０】
いくつかのごく軽い靴では、軽量で薄い接地体の目的は、靴の下部に配置された材料、例えば筒状モカシンの皮が磨耗するのを保護することだけである。
【００１１】
底革に穴を開けることによって、また、不透水性（ｉｍｐｅｒｍｅａｂｌｅ  ｔｏ  ｗａｔｅｒ）であるが水蒸気透過性（ｐｅｒｍｅａｂｌｅ  ｔｏ  ｗａｔｅｒ  ｖａｐｏｒ）であって通気は可能であるが水および／または湿気あるいは異物の侵入を防止する特定の薄膜を靴の中へ導入することによって、発汗の問題を解消する靴は知られている。具体的には、底革の透湿性（通気性）表面を最大にするために、底革の中央部分が保護ネットによって、また、他の層によって支持された薄膜で置き換えられる構造が知られている。
【００１２】
同様の解決策が別の発明によって提案されており、その発明では、靴の内側に、すなわち、ライニングの中にあるいは組み付け中底の中に配置された薄膜を、底革の内部に配置されたネットあるいは他の透湿性（水蒸気透過性）材料からなる層とともに使用することで、歩行中に踏みつけるかもしれない鈍い物体からその薄膜を保護することだけが可能である。
【００１３】
これらの解決策では、衝撃吸収層と耐磨耗性かつ耐滑り性がある層（接地体）とから構成された底革を使用することができる。
【発明の概要】
【発明が解決しようとする課題】
【００１４】
この発明の目標は、足挿入領域の下方に不透水性であるが水蒸気透過性（透湿性）である薄膜が備わっていて、どのような場合にも上記薄膜の透湿性を最も可能性のある方法で利用することができるように、底革の構造がその表面に関して、かつ、必要に応じてその厚さおよび重さに関して最小限にされた靴を設けることのできる組み付け中底を提供することである。
【００１５】
この目標の範囲内で、この発明の１つの目的は、底革に保護用あるいは防水性の要素が含まれていない場合にも、下方部分が、防水性であるが透湿性であり、単に機能的なあるいは衝撃吸収用のエラストマー材料に変えられる靴を提供することである。
【００１６】
別の目的は、底革および靴を製造するためのプロセスを著しく簡略化することである。別の目的は、靴の下方部分だけでなく靴全体の随意の防水性が可能になる構造を提供することである。さらに別の目的は、上記薄膜の活性区域を、同区域が足の裏全体に実質的に影響を及ぼすまで、拡張することである。
【課題を解決するための手段】
【００１７】
この目標、これらの目的、およびこれ以降にいっそう明らかになる他の諸目的は、不透水性であるが水蒸気透過性である組み付け中底であって、不透水性であるが水蒸気透過性であり、かつ、上方領域に配置された薄膜と、この薄膜の下方に配置され、耐加水分解性かつ透湿性である材料から作られているかあるいは分散状に穿孔されていて、足のための支持部として、靴のための組み付け基部として、上記薄膜を鈍い物体の侵入から保護するための要素として作用することができ、さらに、使用中に靴に生じる応力に耐えることができる支持層とを備え、上記薄膜と上記支持層とが、上記組み付け中底を水の通過に対して不浸透性であって上記薄膜の透湿性を損なわないように全体としてするために、相互に接合されていることを特徴とする構造を有する組み付け中底によって達成される。
【００１８】
好ましいのは、上記中底で製造された靴に、上記組み付け中底へ組み付けられ、かつ、防水性封止部を上記組み付け中底の上に直接設けるポリマー材料から作られた底革に上記中底の周縁領域で接合された甲革が備わっていることである。上記封止部は、水が靴の底から上昇するとともに例えば支持層により上記薄膜の周縁へ向かって引き寄せられて上記周縁の周りに流れることによって靴に染み込むのを防止する点で、必須のものである。
【図面の簡単な説明】
【００１９】
この発明のさらに別の特徴および利点は、添付図面における非限定的な例によって示された、好ましいが排他的ではないいくつかの実施形態の説明からいっそう明らかになる。
【図１】図１は、この発明による組み付け中底の断面図である。
【図２】図２は、図１の中底の斜視図である。
【図３】図３は、この発明による上記中底で設けられた第１の靴の部分断面図である。
【図４】図４は、図３の靴の底面図である。
【図５】図５は、この発明による上記中底で設けられたある型の靴の部分断面図である。
【図６】図６は、この発明による上記中底で設けられたある型の靴の部分断面図である。
【図７】図７、この発明による上記中底で設けられたある型の靴の部分断面図である。
【図８】図８は、この発明による上記中底で設けられたある型の靴の部分断面図である。
【図９】図９は、この発明による上記中底で設けられたある型の靴の部分断面図である。
【図１０】図１０は、この発明による上記中底で設けられたある型の靴の部分断面図である。
【図１１】図１１は、この発明による上記中底で設けられたある型の靴の部分断面図である。
【図１２】図１２は、この発明による上記中底で設けられたある型の靴の部分断面図である。
【図１３】図１３は、この発明による上記中底で設けられたある型の靴の部分断面図である。
【図１３ａ】図１３ａは、この発明による上記中底で設けられたある型の靴の部分断面図である。
【図１４】図１４は、この発明による上記中底で設けられたある型の靴の部分断面図である。
【図１４ａ】図１４ａは、この発明による上記中底で設けられたある型の靴の部分断面図である。
【００２０】
この特許取得処理の間にすでに知られたと認められるあらゆるものは、特許請求されることがなく、また、特許放棄の対象でない、と理解されることに留意すべきである。
【発明を実施するための形態】
【００２１】
図１および図２によれば、この発明による組み付け中底は、参照符号１０によって全体が表わされており、また、不透水性であるが水蒸気透過性であって上方領域に配置されている薄膜１１と、この薄膜１１の下方に配置されていて、土踏まずを支持するための層１２とから構成されており、その層１２は、耐加水分解性かつ透湿性である材料から作られているかあるいは分散状に穿孔されていて、足のための支持部として、かつ、薄膜１１を鈍い物体の侵入から保護するための要素として作用することができ、さらに、使用中に靴に生じる応力に耐えることができる。この組み付け中底、とりわけその支持層１２によれば、袋状甲革を閉じることができる。
【００２２】
靴のこの構成要素である組み付け中底１０は、一般に靴型の下方部分に応じて形成されるが、甲革、ライニング、かかと革、先靴などが取り付けられる靴の構造的中枢部である。薄膜１１は、市販されているとともに商標名Ｇｏｒｅ−Ｔｅｘ（登録商標）として広く知られている種類のものであり、必要に応じて、合成材料から作られた上方メッシュ（図面には示されていない）へ接合される。層１２は例えば、合成材料あるいは金属材料から作られたメッシュによって、微小延伸金属板によって、熱により融合された部分圧縮合成繊維によって、麻やココナッツの繊維のような圧縮天然繊維によって、あるいは皮革によって構成することができる。
【００２３】
これらの要素は、水の通過に対して不浸透性であって上記薄膜の透湿性を損なわない上記中底を作るために、例えば、接着剤スポット１３によって、あるいは接着性材料からなる周辺層によって、あるいはＰＶＣやＰＵから作られた周辺被膜を溶融することによる高周波での溶着によって、互いに接合されている。
【００２４】
水蒸気透過領域において透湿性あるいは有孔である限り、皮革、フェルト，ポリマー材料あるいは合成皮革のような補強要素あるいは構造的要素（簡略化のために示されていない）があってもよく、これらの要素は、透湿性を損なわないような手段、例えば、縫い付け、スポット接着、あるいは周辺の水蒸気不透過区域だけの接着剤接合によって、薄膜１１と支持層１２との組み付けの後に挿入されるか、あるいは靴の組み付けの前に取り付けられる。
【００２５】
このような組み付け中底１０は、靴の底革が使用に必要なすべての技術的内容を有しているが、かなりの寸法がある大きい開口あるいは分散穴を有しているため、そのような底革が例えばねじれに対して靴を強くするために適していない靴の製造において使用される。先に説明された組み付け中底には、必要な剛性が備わっている。
【００２６】
さて、図３および図４によれば、この発明による組み付け中底１０を使用する透湿性靴の第１構造が、「古典的ＡＧＯ靴型合わせ法」として広く知られた製造方法によってもたらされており、この構造では、甲革１４の下方縁部が、不透水性であるが水蒸気透過性である組み付け中底１０の下方へ折り曲げられて接着剤により接合されている。
【００２７】
甲革１４は、靴組み付け作業の前に、縫われて用意される。組み付けの間、足の形状および寸法の備わった靴型が使用されて、甲革１４へ特定の３次元形状が付与される。
【００２８】
上記中底１０（これ以降、接着剤スポット１３の存在は簡略化のために省略される）は、周辺に接着剤で接合されたライニング１５とともにあるいはライニング１５なしで（例えば、この靴が暑い季節用のものであるか寒い季節用のものであるかによって左右される）、組み付け中底１０の薄膜１１を上記中底１０へ接着するために、薄膜１１を損傷するおそれがある釘あるいはステープルを使うことなく、上部支持用靴型（図示略）および甲革１４の下方へ一時的に取り付けられる（靴型合わせ法として知られた作業）。
【００２９】
次いで、この靴が意図されている使用によって許容される限り、最大蒸気透過が可能になる大きい開口１７あるいは穴のある底革１６が取り付けられる。
【００３０】
底革１６の周辺部であるが甲革１４の縁部に接していない底革１６の部分１８（すなわち、開口１７の外縁を画定する部分）は、薄膜１１との間における周辺封止のための区域Ａを作り出すために、層１２に侵入しなければならない。
【００３１】
このような封止用区域は例えば、射出の時点で液体状態あるいは高度流動性状態にある材料で実施され、層１２に侵入するとともに薄膜１１に係合して、それを封止する底革１６の金型の中への直接射出成形によって設けることができる（図３において、層１２の表面における底革１６の重なりは区域Ａで見ることができる）。
【００３２】
底革１６によって被覆されていない中底１０の部分は透湿性のままであるが、水は、上記周辺封止処理と中底１０の防水処理とのおかげで、靴の中に入らない。
【００３３】
この靴を完成させるために、組み付け中底１０の上方に透湿性あるいは有孔の足載せ１９を配置することができる。
【００３４】
代案として（図５）、予備型成形された底革１６ａを接着剤接合によって取り付けることができる。この場合には、接着剤１８ａが層１２を越えて移ることが保証されなければならず、例えば、この層１２がネットによって構成されているときには、区域Ａにおいて薄膜１１に係合してそれを封止するために、接着剤１８ａが層１２のメッシュを越えて移ることが保証されなければならない。
【００３５】
この目的に関して、この底革が取り付けられる予備封止ずみ区域を設けるために、特定のホットメルト接着剤あるいはシリコーン接着剤を使用することができる。上記の甲革およびライニングはここでは、参照符号１４ａおよび１５ａによって表わされている。
【００３６】
図示されていないある代案では、ＰＶＣ（ポリ塩化ビニル）あるいはＰＵ（ポリウレタン）から作られた接着剤の被膜を使用して、この被膜の溶融による高周波溶着法をもたらすとともにこれらの構成要素を一体構造状単一体に接合することができる。
【００３７】
別の代案的解決策（図６）は、ここでは参照符号１６ｂによって表わされた底革が後にその上へ取り付けられる封止層２０を予備射出成形することからなっている。上記の甲革およびライニングはここでは、参照符号１４ｂおよび１５ｂによって表わされている。
【００３８】
ここ（図７）では参照符号１６ｃによって表わされた底革の寸法を減少させるためと、充分な封止用区域を設けるために、甲革１４ｃの靴型合わせ用周辺部を穿孔することによって、すなわち、上記中底の下方で折り曲げられた縁部２１に穴２２を、また、随意のライニング１５ｃの折り曲げられた縁部に穴２３を開けることによって、あるいは、これらの要素の上記下方縁部、すなわち甲革１４ｃおよび随意のライニング１５ｃの上記下方縁部を、上記接着剤あるいは上記液体状底革が組み付け中底１０の薄膜１１に係合するまで層１２を通過して侵入することのできる材料から設けることによって、ここ（図７）では参照符号Ａ１によって表わされた封止用区域の拡張を考慮することができる。
【００３９】
層１２（図８）が封止用材料を薄膜１１まで通過させることができないものであるときには、そのような層は、それを封止可能なものにするために、例えば、封止用領域において、それに穴を開けることあるいはその縁部を防水性材料で置き換える（防水性縁部２４）ことによって、改変しなければならない。
【００４０】
代案として（図９）、靴全体は、防水性であるが透湿性であって水に対する封止部を構成する組み付け中底１０の薄膜１１へ直接溶着される完全防水性材料から作られた甲革１４ｄを使用することによって、それが防水性であるように設けることができる。例えば、底革１６ｄは、甲革１４ｄに係合することができ、そのため、防水性封止部のための決め手にはならない。
【００４１】
さらに別の代案として（図１０〜１２）、靴全体は、防水性でない材料から作られた甲革１４ｅと、防水性であるが透湿性であって、足との接触のために設計された非防水性材料２６（例えば、ベルチナ（Ｖｅｌｌｕｔｉｎａ）織物、木綿、羊毛など）で裏打ちされている外側薄膜２５によって構成された防水性ライニング１５ｅとを備えることによって、靴全体が不透水性であるように設けることができる。
【００４２】
この場合には、３つの代案的可能性をもたらすことができる。
Ａ）ライニング材料２６を、中底１０へ接着するために設計された下方縁部に沿って、例えば、高周波溶着によって、または、接着剤あるいはポリウレタン封止剤あるいはシリコーン封止剤（図１０）の塗布によって、接着剤接合による封止部がもたらされるように防水処理すること。
Ｂ）接着剤を、あるいは液体状態で射出されたときには底革１６ｅ（図１１）の材料を、有孔材料（例えば、ネットなど）から作られた縁部２７が備わった甲革１４ｅを介して、かつ、層１２を介して（図３のように）、あるいは薄膜１１の上へ封止されるように適切に設けられた穿孔によって通過させること。
Ｃ）ライニング１５ｅの薄膜２５と中底１０の薄膜１１との間に、ブリッジとして作用する周辺封止用バンド２８（図１２）を取り付けること（ここでも、甲革は参照符号１４ｅによって表わされ、底革は参照符号１６ｅによって表わされている）。
【００４３】
図１３および図１３ａに示された別の代案的実施形態では、薄膜１１が中に備わっている防水性・透湿性中底１０は、ストローベル（Ｓｔｒｏｂｅｌ）として広く知られた製造方法による縫い付け部２９によって、甲革１４ｆの縁部へ接合されている。
【００４４】
代案として、グッドイアー（Ｇｏｏｄｙｅａｒ）、アイデアル（Ｉｄｅａｌ）などとして知られた、縫い付け中底による他の種類のいくつかの製造方法を使用することができる。これらの種類の製造方法は、先の製造方法とは、縫い付け部２９によって接合される代わりに上記甲革と上記中底との間の重なりがない点で、異なっている。
【００４５】
これによって、底革１６ｆと中底１０の薄膜１１と（充分な防水性のある靴の場合には、さらに甲革／ライニングの薄膜と）の間に封止部を設けるという可能性が簡略化される。
【００４６】
底革１６ｆは、薄膜１１との間に周辺封止部Ａ２が作られるように、また同時に、Ａ３において甲革１４ｆと中底１０との間に縫い付け継目２９が作られるように、中底１０の層１２に侵入しなければならない。
【００４７】
このことは例えば、射出の時点で液体であるかあるいはきわめて流動性である底革１６ｆが保護材料を通して染み込み、薄膜１１に係合してそれを封止する、底革１６ｆの直接射出成形によって生じることができる。この場合においてもまた、底革１６ｆによって被覆されていない部分では透湿性のままであり、さらに、水は、中底１０のおかげで、不透水性であるが水蒸気透過性であるこの靴の中へ入ることがない。さらに別の細部については、図５および図６の説明を参照のこと。
【００４８】
図１４および図１４ａの製造方法は、先の製造方法とは、甲革の下方縁部をここでは参照符号１４ｇによって表わされた甲革の下方縁部で置き換えるためにネット状バンド３０の挿入によって設けられた封止用区域Ａ３が増大している点で、異なっている（底革は参照符号１６ｇによって表わされ、また、縫い付け継目は参照符号２９ｇによって表わされている）。
【００４９】
底革１６ｇの流動性材料は、ライニング１５ｇに設けられた薄膜２５、中底１０に設けられた薄膜１１、および縫い付け継目２９をそれぞれ封止する甲革１４ｇのネット状バンド３０と中底１０の層１２とを通過する。さらに別の細部については、図７および図１１の説明を参照のこと。この種類の製造方法では、先行する実施形態の図８、図９および図１２と同じ事例が生じることがある。
【００５０】
実際に、中底が靴の支持用構造を構成しなければならないかあるいは靴の最大柔軟性が必要であるすべての靴へこの発明を容易に適用することができる、ということはわかった。
【００５１】
接地体と厚さ全体（透湿性の開放区域）に沿う底革それ自体との大多数の欠如のために、底革によって達成することのできない特定の衝撃吸収効果がまた求められるときには、その効果は、穿孔されていて、例えばゲル、発泡ポリウレタン、あるいは型成形された、貫通孔付きの空気ポケットのような高度衝撃吸収性材料から作られた組み付け中底１０の上方に配置された内側中底あるいは内側層を使用することで、達成される。
【００５２】
このように構想されたこの発明は、そのすべてが特許請求の範囲の適用範囲内にある多数の改造および変更を行うことが可能であり、すべての細部は、技術的に等価な他の諸要素でさらに置き換えることができる。
【００５３】
実際に、使用された諸材料は、それらが特定の使用と両立する限り、寸法と同様に、諸要件および最新技術に従う任意のものであってよい。
【００５４】
この出願が優先権の利益を主張するイタリア特許出願ＰＤ２００７Ａ０００１０６における開示は、参照によってこの明細書の中に組み入れられる。
【００５５】
特許請求の範囲の任意の請求項で言及された技術的特徴が参照符号に従うときには、それらの参照符号は、請求項の理解度を増大させる目的だけのために含まれており、従って、そのような参照符号は、そのような参照符号による例によって識別されたそれぞれの要素の解釈に関するどのような制限的効果も有していない。
【図１】
0005406051.tif 000002
【図２】
0005406051.tif 000003
【図３】
0005406051.tif 000004
【図４】
0005406051.tif 000005
【図５】
0005406051.tif 000006
【図６】
0005406051.tif 000007
【図７】
0005406051.tif 000008
【図８】
0005406051.tif 000009
【図９】
0005406051.tif 000010
【図１０】
0005406051.tif 000011
【図１１】
0005406051.tif 000012
【図１２】
0005406051.tif 000013
【図１３】
0005406051.tif 000014
【図１３ａ】
0005406051.tif 000015
【図１４】
0005406051.tif 000016
【図１４ａ】
0005406051.tif 000017